(57)【要約】【課題】皮革製の手帳カバーであっても手帳を装着し易い構造の手帳カバーを提供する。【解決手段】裏カバー３の内辺部３ｄの上下に、外方へ向かって傾斜する傾斜部３ｅ，３ｆをポケット７の深さＬの半分以下の巾Ｍで形成し、裏カバー３の内辺部３ｄにおける端縁を折り返して形成した折返部３ｈを縫着することでポケット７の差込口３ｄの強度を高めると共に、裏カバー３の傾斜部３ｅ，３ｆを上下に縦断する区間を自由片３ｇとして、手帳１１の表紙１１ｂをポケット７に差込み易くする。【選択図】図５
2014008703.tif 000002
【特許請求の範囲】
【請求項１】
皮革製の表カバーの裏面の両側に、上辺部と外辺部と下辺部の三辺をコの字状に縫着した皮革製の裏カバーを設け、前記表カバーと裏カバーとの間にポケットを形成した皮革製手帳カバーであって、前記裏カバーの内辺部の上下に、外方へ向かって傾斜する傾斜部を前記ポケットの深さの半分以下の巾で形成し、前記裏カバーの内辺部における端縁を折り返して形成した折返部を縫着することで前記ポケットの差込口の強度を高めると共に、前記裏カバーの傾斜部を上下に縦断する区間を自由片として、手帳の表紙を前記ポケットに差込み易くした構造の皮革製手帳カバー。
【発明の詳細な説明】
【技術分野】
【０００１】
本発明は、手帳を被覆する皮革製手帳カバーに関し、さらに詳細には、手帳カバーの両側に設けたポケットに手帳の表紙を差して装着する構造の手帳カバーに関する。
【背景技術】
【０００２】
従来、手帳を被覆する手帳カバーでは、表カバーの裏面の両側に、上辺部と外辺部と下辺部の３辺をコの字状に固着した裏カバーを設け、表カバーと裏カバーとの間にポケット部を形成して手帳の表紙を差して装着する構造が広く採用されている。この従来の手帳カバーでは、登録実用新案第３００７６７３号公報に記載されているように、ポケットの差込口となる裏カバーの内辺部が一般的に直線状に形成されていることから、特に高級感を出した天然や合成の皮革製手帳カバーにおいては、裏カバーが硬く曲がり難く、紙である手帳の表紙をポケットに差込み難いという問題があった。また、図１０に示すように、従来の手帳カバー１００では、手帳カバー１００に手帳１１１を装着し易くするために、手帳カバー１００を後に反らすように曲げて、ポケット１０７，１０８に表紙１１１ａ，１１１ｂを差込む場合もあるが、表カバー１０２の背表紙部１０２ａに、曲げた際の筋や傷が生じる心配があり、特に皮革製手帳カバーでは、筋や傷で高級感を損なうという問題があった。
【先行技術文献】
【特許文献】
【０００３】
【特許文献１】登録実用新案第３００７６７３号公報
【発明の概要】
【発明が解決しようとする課題】
【０００４】
本発明はこうした問題を鑑みて、皮革製の手帳カバーであっても手帳を装着し易い構造の手帳カバーを提供することを目的とする。
【課題を解決するための手段】
【０００５】
本発明は、
「皮革製の表カバーの裏面の両側に、上辺部と外辺部と下辺部の三辺をコの字状に縫着した皮革製の裏カバーを設け、前記表カバーと裏カバーとの間にポケットを形成した皮革製手帳カバーであって、前記裏カバーの内辺部の上下に、外方へ向かって傾斜する傾斜部を前記ポケットの深さの半分以下の巾で形成し、前記裏カバーの内辺部における端縁を折り返して形成した折返部を縫着することで前記ポケットの差込口の強度を高めると共に、前記裏カバーの傾斜部を上下に縦断する区間を自由片として、手帳の表紙を前記ポケットに差込み易くした構造の皮革製手帳カバー。」である。
【発明の効果】
【０００６】
裏カバーの内辺部の上下に傾斜部を形成することで、その傾斜部を上下に縦断する区間が表カバーに対して縫着されずに自由片となり、手帳の表紙をポケットに差込む際に差込み易いものとなり、裏カバーの傾斜部をポケットの深さの半分以下の巾で形成すると共に、裏カバーの内辺部における端縁を折り返して形成した折返部を縫着することで、ポケットの差込口の強度が高まり、二冊目の手帳の一方の表紙だけをポケットに差込んで装着した場合でも、二冊目の手帳の表紙を裏カバーの内辺部でしっかりと挟持させて保持することが可能となる。
【図面の簡単な説明】
【０００７】
【図１】図１は、本実施例の手帳カバーを示した姿図である。
【図２】図２は、開いた手帳カバーと閉じた手帳を示した姿図である。
【図３】図３は、図２のＡ−Ａ線間を示した断面図である。
【図４】図４は、図２のＢ−Ｂ線間を示した断面図である。
【図５】図５は、手帳カバーに手帳を装着する第一状態を示した姿図である。
【図６】図６は、手帳カバーに手帳を装着する第二状態を示した姿図である。
【図７】図７は、手帳カバーに手帳を装着した状態を示した姿図である。
【図８】図８は、手帳カバーに手帳を装着して閉じた状態を示した姿図である。
【図９】図９は、手帳カバーに手帳を二冊装着した状態を示した姿図である。
【図１０】図１０は、従来の手帳カバーに手帳を装着する状態を示した姿図である。
【発明を実施するための形態】
【０００８】
次に図面を参照しながら実施例の説明を行う。図中の同じ部材、同じ部品については、同じ符号としてある。本発明は以下の実施例に限定されるものではない。尚、姿図における説明においては、図面の横方向を左右と表現し、縦方向を上下と表現する。
【０００９】
図を用いて本実施例の手帳カバーについて説明を行う。図１は本実施例の手帳カバーを示した姿図で、図２は開いた手帳カバーと閉じた手帳を示した姿図である。また、図３は図２のＡ−Ａ線間を示した断面図であり、図４は図２のＢ−Ｂ線間を示した断面図である。尚、断面の向きおよび縮尺は姿図に対して変更してある。図２に示すように手帳カバー１は、皮革製の表カバー２の左裏側に、上辺部３ａと左外辺部３ｂと下辺部３ｃの三辺をコの字状に縫着糸４で縫着した皮革製の裏カバー３を設けてあり、表カバー２の右裏側に、上辺部５ａと右外辺部５ｂと下辺部５ｃの三辺をコの字状に縫着糸６で縫着した皮革製の裏カバー５を設けてある。したがって図３で示すように、表カバー２と裏カバー３との間にはポケット７が形成され、表カバー２と裏カバー５との間にはポケット８が形成される。
【００１０】
また、図２に示すように、裏カバー３の内辺部３ｄの上方には、外方に向かって傾斜する傾斜部３ｅを設けてあり、裏カバー３の内辺部３ｄの下方には、外方に向かって傾斜する傾斜部３ｆを設けてある。本実施例では、傾斜部３ｅ，３ｆの巾Ｍを、ポケット７の深さＬの１／３の巾で形成してあり、傾斜部３ｅと傾斜部３ｆとを上下に縦断する区間（巾Ｍの区間）を表カバー２に縫着していない自由片３ｇとしてある。図３と図４に示すように、裏カバー３の内辺部３ｄは傾斜部も含め上下に渡って後側に折り返した折返部３ｈを形成してあり、折返部３ｈを縫着糸９で縫着することにより、ポケット７の差込口となる内辺部３ｄの強度を向上させている。また、本実施例の裏カバー５の内辺部５ｄは、上下に渡って直線で形成してあり、図３に示すように折返部５ｅを縫着糸１０で縫着することにより、ポケット８の差込口となる内辺部５ｄの強度を向上させている。内、ポケット８の深さはポケット７と同じ深さで形成してある。
【００１１】
次に、図５から図７を用いて、手帳カバー１に手帳１１を装着する状態について説明を行う。本実施例の手帳カバー１は、まず始めに手帳カバー１のポケット８に対して手帳１１の表紙１１ａを差込み（図５参照）、次に手帳カバー１のポケット７に対して手帳１１の表紙１１ｂを差込むことで（図６参照）、手帳カバー１に手帳１１を装着させることができた（図７参照）。尚、本実施例の手帳カバー１は、図６に示すように、手帳１１の表紙１１ｂを手帳カバー１のポケット７に差込む際に、ポケット７の裏カバー３の自由片３ｇを図に示す通り捲り上げることができるので、一時的にポケット７の深さが浅くなり、手帳カバー１を後に反らすように曲げる必要もなく、表カバー２の背表紙部２ａに関する曲げた際に生じる筋や傷の心配がなく、容易に装着させることができた。図８は、手帳カバー１に手帳１１を装着して閉じた状態である。
【００１２】
図９は、手帳カバー１に、前述の手帳１１と別の薄い手帳１２とを二冊装着した状態の図である。図９に示すように手帳１２は、表紙１２ａをポケット７に差込んで保持させており、本実施例では裏カバー３の内辺部３ｄに折返部３ｈを設け、さらに縫着糸９で逢着させて強度を向上させてあることから（図３，図４参照）、手帳１２の一方の表紙１２ａだけを差込んだ状態でも、裏カバー３の内辺部３ｄで手帳１２の表紙１２ａをしっかりと挟持させて保持することがきた。
【産業上の利用可能性】
【００１３】
本発明による構造は、 本を被覆するブックカバーに利用すことも可能である。
【符号の説明】
【００１４】
１…皮革製の手帳カバー、
２…皮革製の表カバー、２ａ…背表紙部、
３…皮革製の裏カバー、
３ａ…上辺部、３ｂ…右外辺部、３ｃ…下辺部、
３ｄ…内辺部、３ｅ…傾斜部、３ｆ…傾斜部、
３ｇ…自由片、３ｈ…折返部、
４…縫着糸、
５…皮革製の裏カバー、
５ａ…上辺部、５ｂ…左外辺部、５ｃ…下辺部、
５ｄ…内辺部、５ｅ…折返部、
６…縫着糸、
７…ポケット、８…ポケット、
９…縫着糸、１０…縫着糸、
１１…手帳、１１ａ…表紙、１１ｂ…表紙、
１２…手帳、１２ａ…表紙。
【図１】
2014008703.tif 000003
【図２】
2014008703.tif 000004
【図３】
2014008703.tif 000005
【図４】
2014008703.tif 000006
【図５】
2014008703.tif 000007
【図６】
2014008703.tif 000008
【図７】
2014008703.tif 000009
【図８】
2014008703.tif 000010
【図９】
2014008703.tif 000011
【図１０】
2014008703.tif 000012